(57)【特許請求の範囲】
【請求項１】
標準電波信号を受信し当該標準電波信号のデータである標準時刻に基づいて時刻を修正することが可能な時計手段を有するカメラにおいて、
前記カメラの周囲の輝度を測定する測光手段と、
前記測光手段により測定された輝度と所定の基準輝度とを比較して前記輝度が前記基準輝度よりも低輝度か否かを判定する輝度判定手段と、
を備え、
前記輝度判定手段によって前記測光手段により測定された輝度が前記基準輝度よりも低輝度と判定された場合に前記時計手段の時刻を修正すべく標準電波信号を受信するようになっているカメラ。
【請求項２】
撮影が実施されたか否かを判定する撮影判定手段を備え、
前記輝度判定手段によって前記測光手段により測定された輝度が前記基準輝度よりも低輝度と判定された場合であって、前記撮影判定手段によって撮影が終了されたと判定された直後に、前記標準電波信号を受信するようになっている請求項１に記載のカメラ。
【請求項３】
前記基準輝度が、夜間時における前記カメラの周囲の輝度である請求項１又は２に記載のカメラ。
【発明の詳細な説明】
【０００１】
【発明の属する技術分野】
カメラに関し、特に標準電波信号を利用して時刻を修正することが可能な時計手段を有するカメラに関する。ここで、標準電波信号とは、日本あるいは外国における標準時刻が符号化された信号として電波で送信されているものである。
【０００２】
【従来の技術】
カメラにおいて表示される時刻は、操作者等により一度カメラに入力された時刻が、カメラ内部に設けられた発振子等の一定周期の発振に基づいて更新されているものである。しかしながら、発振子等の発振は周囲の温度状態等により周期に変動が生じるため、時刻にずれが発生する。このようなずれを補正するために、標準電波信号を利用した装置内部の時刻の修正が考えられる。標準電波信号を受信して、標準電波信号のデータである標準時刻に基づいて装置内部の時刻を再調整する機能を有した装置としては、特開２００１−２０８８７７号公報に開示されている光ディスク映像記録装置が知られている。
【０００３】
【発明が解決しようとする課題】
しかしながら、この光ディスク映像記録装置では一定時間ごとに標準電波信号を受信して装置内部の時刻を修正しているが、昼間はノイズが多くて標準電波信号が良好に受信できないという問題点があった。
【０００４】
本発明はかかる事情を鑑みてなされたものであり、その目的は、標準電波信号を良好な受信環境において受信することである。
【０００５】
【課題を解決するための手段】
上記目的を達成するために、本発明は、標準電波信号を受信しその標準電波信号のデータである標準時刻に基づいて時刻を修正することが可能な時計手段を有するカメラにおいて、カメラの周囲の輝度を測定する測光手段と、測光手段によって測定された輝度と所定の基準輝度とを比較して測光手段により測定された輝度が基準輝度よりも低輝度か否かを判定する輝度判定手段とを備え、輝度判定手段によって測光手段により測定された輝度が基準輝度よりも低輝度と判定された場合に時計手段の時刻を修正すべく標準電波信号を受信するようになっていることを特徴とする。
【０００６】
かかる構成では、カメラ周囲の輝度が基準輝度よりも低輝度、すなわち、設定した明るさよりも暗い場合にのみ標準電波信号を受信し、カメラ内の時刻を修正することができる。
【０００７】
また、上述したように、昼間はノイズが多く受信状態が悪いが、夜間は昼間よりノイズが減少するため標準電波信号の受信状態が良い。そのため、基準輝度を夜間時におけるカメラの周囲の輝度であるように設定することは、受信環境の良い夜間に標準電波信号を受信することが可能である点で好適である。
【０００８】
更に、撮影が実施されたことを判定する撮影判定手段を備え、輝度判定手段により、測光手段からの輝度が基準輝度よりも低輝度と判定された場合であって、撮影判定手段により撮影が実施されたと判定された直後に、標準電波信号を受信することも、撮影されたときのみ時刻が修正されるため、電力の消費が低減される観点から好適である。
【０００９】
【発明の実施の形態】
以下、図面を参照して本発明の好適な実施形態について詳細に説明する。
図１は、本発明の一実施形態に係るカメラの電気的構成を示すブロック図である。
【００１０】
本実施形態におけるカメラ１０は、ＲＯＭやＲＡＭ等を備えたマイクロプロセッサであるＣＰＵ１２を有し、ＣＰＵ１２により制御される。ＣＰＵ１２には、電源スイッチ１４、光検出素子（測光手段）１６、受信回路１８、シャッターボタン２０、デート写込部２２等が接続されている。
【００１１】
電源スイッチ１４は、カメラ１０のメインスイッチであり、電源スイッチ１４が押されてオンの状態の場合には、ＣＰＵ１２に接続されているカメラ１０の上記諸機能が機能するようになっている。
【００１２】
光検出素子１６は、撮影時の被写界（被写体）の明るさ、すなわち、カメラ１０周囲の輝度を測定する、いわゆる測光を行うものである。光検出素子１６は、カメラ１０本体の内部に設けられており、カメラ１０内部に入射した光を検出して輝度としてＣＰＵ１２に出力する。本実施形態では、光検出素子としてＣｄＳ（硫化カドミウム）を利用している。
【００１３】
受信回路１８には、電波信号を受信するためのアンテナ１９が接続されている。受信回路１８は、アンテナ１９に届く種々の電波信号から標準電波信号を選択してＣＰＵ１２に出力する（以下、「標準電波信号を受信する」という）ものである。尚、標準電波信号には、時、分、通算日（１月１日を１とした通算の日）、年（西暦下２桁）等の情報が含まれている。
【００１４】
シャッターボタン２０は、測光等を開始するためのＳＰ１信号と撮影を行うためのＳＰ２信号とをＣＰＵ１２に出力するものである。ＳＰ１信号は、シャッターボタン２０を半押し状態にした場合にＣＰＵ１２に出力され、ＳＰ２信号は、シャッターボタン２０が半押し状態から更に押し込まれた際にＣＰＵ１２に出力されるように構成されている。尚、本明細書では、ＳＰ１信号がＣＰＵ１２に出力された状態をＳＰ１がオン状態にあるといい、ＳＰ２信号がＣＰＵ１２に出力された状態をＳＰ２がオン状態にあるという。
【００１５】
デート写込部２２は、撮影されたフィルム等に撮影が実施された日時等を写しこむためのものである。表示される日時等は、ＣＰＵ１２内の時計手段から出力される信号を日時等に変換したものである。尚、図示しないが時計手段から出力される信号は、カメラ１０の裏蓋に設けられた時計表示ディスプレイ等にも送られ、日時等として表示される。
【００１６】
ＣＰＵ１２は、ＲＯＭに書き込まれているプログラムを処理することにより、電源スイッチ１４のスイッチ状態がオン状態であるか否かを判定する電源判定、光検出素子１６により測定されたカメラ１０周囲の輝度（以下、「測定輝度」という）が所定の基準輝度より低輝度が否かを判定する輝度判定、撮影が実施されたか否かを判定する撮影判定を行い得るよう構成されている。また、ＣＰＵ１２は、時計手段を有している。時計手段は、発振子等による一定周期の発振信号に基づいて時刻をカウントする（以下、カウントされた時刻を「時刻信号」という）ものである。また、時計手段は、標準電波信号が受信された場合に、標準電波信号のデータを時刻情報に変換（以下、「標準時刻信号」という）し、時刻信号と標準時刻信号とを比較して相違がある時に、時刻信号を標準時刻信号で修正するものである。
【００１７】
図２は、ＣＰＵ１２によるカメラ１０の時刻修正処理手順を示している。図２に従って、カメラ１０の時刻修正処理に係る動作を説明する。ＣＰＵ１２により、電源スイッチ１４がオン状態になっていると判定された場合（Ｓ１００で「ＹＥＳ」）に、シャッターボタン２０が半押しされてＳＰ１がオン状態になる（１０２にて「ＹＥＳ」）と、光検出素子１６により測光が行われ（Ｓ１０４）、カメラ１０周囲の輝度がＣＰＵ１２に入力される。そして、光検出素子１６により得られた測定輝度と所定の基準輝度とが比較され、測定輝度が基準輝度よりも低輝度か否かが判定される（Ｓ１０６）。基準輝度は、あらかじめ設定された固定値とする。本実施形態では、基準輝度は夜間時のカメラ１０の周囲の輝度に設定されている。また、ＣＰＵ１２では、測定輝度に基づいて更に、シャッター速度等が決定される。
【００１８】
測定輝度が基準輝度より低輝度と判定された（Ｓ１０６で「ＹＥＳ」）場合について説明する。
【００１９】
この場合、再度ＳＰ１がオン状態であるか否かが判定される（Ｓ１０７）。ＳＰ１がオン状態であると判定される（Ｓ１０７で「ＹＥＳ」）と、ＳＰ２がオン状態か否かが判定される（Ｓ１０８）。ここで、シャッターボタン２０が半押し状態から更に押し込まれてＳＰ２がオン状態になる（Ｓ１０８で「ＹＥＳ」）と、撮影が実施される（Ｓ１１０）。そして、ＳＰ２がオン状態になったことで撮影が実施されたと判定されると、標準電波信号を受信する（Ｓ１１２）。尚、ＳＰ２がオン状態でない場合（Ｓ１０８で「ＮＯ」）には、Ｓ１０７の手順に戻る。
【００２０】
受信された標準電波信号は、ＣＰＵ１２に入力されて標準電波信号のデータが標準時刻信号に変換される。標準電波信号の受信が成立した場合（Ｓ１１４で「ＹＥＳ」）、時刻信号と標準時刻信号とが比較されてずれがある時には、時刻信号が標準時刻信号により修正される（Ｓ１１６）。尚、修正された時刻信号は、デート写込部２２を介して、撮影された日時として撮影されたフィルム等に表示される。
【００２１】
また、標準電波信号の受信が成立しなかった場合（Ｓ１１４で「ＮＯ」）、カメラ１０内の時刻信号は、標準電波信号により修正されない。
【００２２】
次に、測定輝度が基準輝度よりも高輝度と判定された場合（Ｓ１０６で「ＮＯ」）について説明する。
【００２３】
この場合、再度ＳＰ１がオン状態であるか否かが判定される（Ｓ１１７）。ＳＰ１がオン状態の場合（Ｓ１１７で「ＹＥＳ」）は、ＳＰ２がオン状態であるか否かが判定される（Ｓ１１８）。ここで、シャッターボタン２０が半押し状態から更に押し込まれてＳＰ２がオン状態になる（Ｓ１１８で「ＹＥＳ」）と、撮影が実施され（Ｓ１２０）、標準電波信号の受信は行われずに時刻修正処理は終了する。ＳＰ２がオン状態でない場合（Ｓ１１８で「ＮＯ」）には、Ｓ１１７の手順に戻る。尚、ＳＰ１がオン状態でない場合（Ｓ１１７で「ＮＯ」）には、撮影は実施されず、標準電波信号も受信されずに時刻修正処理は終了する。
【００２４】
また、ＣＰＵ１２により電源スイッチ１４がオン状態になっていないと判定された場合（Ｓ１００で「ＮＯ」）、又は、ＳＰ１がオン状態でない場合（Ｓ１０２で「ＮＯ」,Ｓ１０７で「ＮＯ」）は、標準電波信号は受信されず、時刻信号は修正されない。
【００２５】
このように本実施形態では、カメラ１０周囲の輝度が基準輝度より低輝度の場合にのみ、標準電波信号を利用してカメラ１０内部で更新されている時刻信号の修正が行われる。基準輝度は夜間時のカメラ１０周囲の輝度に設定されているので、標準電波信号の受信状態が良い夜間に標準電波信号を受信することができる。また、上述したような条件を満たしたときのみ受信する強制受信であるため、電力の消費を抑えることができる。
【００２６】
また、ＳＰ１がオン状態である場合には、撮影のために焦点位置の自動調整やシャッター速度の決定等が行われている。そのため、この状態で標準電波信号を受信すれば、受信が焦点位置の自動調整等に対してノイズ源となる場合もあり、また、焦点位置の自動調整等が受信に対してのノイズ源となる場合がある。一方、本実施形態において、標準電波信号の受信は、撮影が実施されたことが判定された直後に開始されるため、標準電波信号は焦点位置の自動調整等に対してノイズ源にはならない。更に、カメラ１０は撮影実施後の安定状態であるため、標準電波信号の受信に対してもノイズ源にはならない。
【００２７】
以上、本発明の好適な実施形態について詳細に説明したが、本発明は上記実施形態に限定されないことは言うまでもない。
【００２８】
例えば、上記実施形態では、測定輝度が所定の基準輝度より低輝度か否かを判定する場合の基準輝度としてあらかじめ設定された値を固定値として用いた。しかしながら、基準輝度として、前回撮影時の測定輝度を使用する場合も考えられる。この場合、前回の測定輝度は、例えば、ＣＰＵ１２内の記憶領域に記憶しておけばよい。
【００２９】
図３に本実施形態の場合のフローチャートを示す。図３において、Ｓ１００〜Ｓ１０４までの動作は図２と同様であり、電源スイッチ１４がオンの状態で、更に、ＳＰ１がオンの状態である場合には、測光が行われる。Ｓ１０４において測光されたデータ（輝度）は、ＣＰＵ１２において記憶される（Ｓ１２２）。そして、最新の測定輝度が前回の測定輝度よりも低輝度か否かが判定される（Ｓ１２４）。最新の測定輝度が前回の測定輝度よりも低輝度と判定された場合（Ｓ１２４において「ＹＥＳ」）には、Ｓ１０７〜Ｓ１１６の手順に従って標準電波信号が受信されてカメラ１０内の時刻信号が修正される。
【００３０】
また、最新の測定輝度が前回の測定輝度よりも高輝度の場合（Ｓ１２４で「ＮＯ」）には、図２と同様にＳ１１７〜Ｓ１２０に従って撮影が行われ、撮影終了後、カメラ１０の電源スイッチ１４をオフにした場合（Ｓ１２６で「ＹＥＳ」）には、カメラ１０内で更新されている時刻信号は標準電波信号により修正されない。
【００３１】
一方、撮影終了後、カメラ１０の電源スイッチ１４をオンにした状態を維持する場合（Ｓ１２６で「ＮＯ」）は、Ｓ１０２の手順に戻る。
【００３２】
以上のように、本実施形態では、最新の測定輝度と前回の測定輝度とを比較することにより、最新の測定輝度が前回の測定輝度よりも低輝度の場合、すなわち、カメラ１０周囲が前回の撮影時よりも暗い場合に、標準電波信号を受信する。従って、受信環境が良い夜間により近い時間帯で標準電波信号を受信することが可能となる。尚、低輝度か否かの判定する場合には、前回の測定輝度に固有の数値を加算しても良い。これにより、前回撮影を実施した時間帯に依存せずに夜間に時刻修正をすることが可能になるからである。
【００３３】
また、上記実施形態では、カメラ１０周囲の輝度を測定するための光検出素子としてＣｄＳを利用したが、光検出素子としては種々の光センサを利用することが可能である。
【００３４】
更に、上記実施形態では、シャッターボタンを半押し状態にすることで測光を開始させていたカメラを対象としたが、このようなカメラに限られる必要はなく測光が行われる他の形式のカメラ、例えば、音声に反応するカメラ等に適用してもよい。
【００３５】
更にまた、上記実施形態では、撮影が実施されたか否かをＳＰ２の状態で判定したが、これに限定する必要はない。例えば、シャッター自体の動作を検知する等種々の形態が考えられる。
【００３６】
尚、いずれの実施形態においても、カメラは、銀塩カメラ、デジタルカメラ、ビデオカメラ等のカメラの種類は問わない。
【００３７】
【発明の効果】
本発明によれば、標準電波信号をカメラ周囲の輝度が所定の基準輝度より低輝度の場合に受信するため、基準輝度の設定によって標準電波信号を電波の受信環境の良い夜間に行える。従って、標準電波信号を良好に受信することが可能である。また、撮影した直後に標準電波信号を受信するようにすれば、一定の時間ごとに標準電波を受信し時刻を修正する場合に比べて電力の消費を低減することができる。
【図面の簡単な説明】
【図１】本発明に係るカメラ１０の電気的構成を示すブロック図
【図２】本発明に係るカメラ１０の時刻修正処理手順を説明するためのフローチャートである。
【図３】図２の動作における所定の基準輝度として前回の測定輝度を用いる場合の時刻修正処理手順を説明するためのフローチャートである。
【符号の説明】
１０…カメラ、１２…ＣＰＵ、１４…電源スイッチ、１６…光検出素子（測光手段）、１８…受信回路、１９…アンテナ、２０…シャッターボタン、２２…デート写込部
【図１】
0003701923.tif 000002
【図２】
0003701923.tif 000003
【図３】
0003701923.tif 000004